(57)【要約】      （修正有）【課題】素人でも容易に天井に取り付けることができる、角形ＬＥＤシーリングライトを提供する。【解決手段】コンバーター２を内蔵した角形のＬＥＤシーリングライト１と、該ＬＥＤシーリングライトの両側部をスライドし得るように支持する細長いレール３，３′と、該レールに設けられた電源接点４と、該電源接点と接触してコンバーターに導通するＬＥＤシーリングライト外面に設けた接点５とを具備するように構成することによって、前記ＬＥＤシーリングライトを、天井に容易に取り付けられるようにした。【選択図】図１
0003173391.tif 000002
【実用新案登録請求の範囲】
【請求項１】
コンバーターを内蔵した角形のLEDシーリングライトと、該LEDシーリングライトの両側部をスライドし得るように支持する細長いレールと、該レールに設けられた電源接点と、該電源接点と接触してコンバーターに導通するLEDシーリングライト外面に設けた接点とを具備し、前記コンバーターで直流に変換してLEDシーリングライトを点灯させ、前記レールは、天井に固定したことを特徴とするLEDシーリングライト。
【請求項２】
前記レールは、断面コ字形に形成されている請求項１記載のLEDシーリングライト。
【請求項３】
前記コンバーターを複数個とし、該コンバーターに導通する接点と複数のコンバーターとが、それぞれ別の電線で連結され、該複数個のコンバーターは、別のLED照明にそれぞれ連結する請求項１又は２記載のLEDシーリングライト。
【請求項４】
前記コンバーターを４個とし、該４個のコンバーターに導通する接点とコンバーターとが、それぞれ別の電線で連結され、該４個のコンバーターは、４個の直線状のLED照明で四角形を形成した別の辺のLED照明にそれぞれ連結されている請求項１〜３のいずれかに記載のLEDシーリングライト。
【請求項５】
LEDシーリングライトをレールに嵌合させてスライドさせると、レールに設けた電源接点と、LEDシーリングライトに設けたコンバーターに導通する接点とが接触する位置で停止するように、レールにはストッパーを設ける請求項１〜４のいずれかに記載のLEDシーリングライト。
【考案の詳細な説明】
【技術分野】
【０００１】
本考案は、天井に容易に固定できるようにした角形LEDシーリングライトに関する。
【背景技術】
【０００２】
LED（発光ダイオード）を用いた照明灯は、従来の照明灯と比べ、省エネルギー性に優れている。そのため、原発事故に起因する電源不足の問題が高まる昨今、LED照明灯に対する重要性が高まってきている。
【０００３】
従来、LEDシーリングライトは、天井面に取り付けられていたが、コンバーターを外付けにしていたので、取付施工が大変困難であった。コンバーターを内付けにしても、LEDシーリングライトは角形であったので、取り付けが容易ではない。非常に薄いものであれば、天井に張り付けて固定することもできるが、LEDシーリングライトは、ある程度の厚さがあったので、これもできない。
【０００４】
また、EDシーリングライトは、コンバーターが１個であったので、コンバーターが故障すれば、LEDシーリングライトは、使用できなくなる。外付けであれば、コンバーターだけを交換することが可能であるが、内付けにすれば、これはできない。
【考案の開示】
【考案が解決しようとする課題】
【０００５】
この考案は、このような点に着目してなされたものであり、請求項１に記載の考案は、素人でも容易に天井に取り付けることができる、角形LEDシーリングライトを提供することを目的とする。
【０００６】
また、請求項３に記載の考案は、上記目的に加えて、コンバーターが壊れても、一部のLED照明が点灯する角形LEDシーリングライトを提供することを目的とする。
【課題を解決するための手段】
【０００７】
上記目的に沿う本考案のうち請求項１に記載の考案の構成は、コンバーターを内蔵した角形のLEDシーリングライトと、該LEDシーリングライトの両側部をスライドし得るように支持する細長いレールと、該レールに設けられた電源接点と、該電源接点と接触してコンバーターに導通するLEDシーリングライト外面に設けた接点とを具備し、前記コンバーターで直流に変換してLEDシーリングライトを点灯させ、前記レールは、天井に固定したことを特徴とする。
【０００８】
前記レールは、断面コ字形に形成するのが好ましい（請求項２）。前記コンバーターを複数個とし、該コンバーターに導通する接点と複数のコンバーターとが、それぞれ別の電線で連結され、該複数個のコンバーターは、別のLED照明にそれぞれ連結するのが、一つのコンバーターが壊れても、他のコンバーターにより、LED照明が点灯するので好ましい（請求項３）。
前記コンバーターを４個とし、該コンバーターに導通する接点と４個のコンバーターとが、それぞれ別の電線で連結され、該４個のコンバーターは、直線状のLEDで四角形を形成した別の辺のLEDにそれぞれ連結するのが好ましい（請求項４）。
【０００９】
LEDシーリングライトをレールに嵌合させてスライドさせると、レールに設けた電源接点と、LEDシーリングライトに設けたコンバーターに導通する接点とが接触する位置で停止するように、レールには、ストッパーを設けるのが好ましい（請求項５）。
【考案の効果】
【００１０】
本考案のうち請求項１に記載の考案によれば、レールを天井に固定しておけば、素人でも簡単に角形LEDシーリングライトを天井に取り付けることができる。
また、請求項３に記載の考案によれば、上記効果に加えて、一つのコンバーターが壊れても、他のコンバーターでLED照明を点灯させることができる利点が得られる。
【図面の簡単な説明】
【００１１】
【図１】本考案の一実施例を示す断面図である。
【図２】図１の側面図である。
【符号の説明】
【００１２】
１・・・・・・LEDシーリングライト
２・・・・・・コンバーター
３，３´・・・・・・レール（枠体）
４・・・・・・電源接点
５・・・・・・コンバーターの接点
６・・・・・・電線
７・・・・・・天井
８・・・・・・電線
９・・・・・・LED照明
【考案を実施するための最良の形態】
【００１３】
以下、添付図面に従って、本考案の具体例を更に詳細に説明する。
【００１４】
図１は、本考案の実施例を示すものであり、角形（四角形）のLEDシーリングライト１には、４個のコンバーター２が内蔵されている。図２に示すように、角形LEDシーリングライト１の両側部は、天井に固定した断面コ字形のレール（枠体）３，３´にスライドし得るように嵌合支持されている。コンバーター２は、LED照明より寿命が短く、しかも内蔵されているので交換できないから、このように複数個とするのが好ましい。
【００１５】
図１に示すように、１００ボルト電源の電源接点４が一方のレール３´に固定され、コンバーターの接点５と接触して導通するようになっている。コンバーターの接点５は、LEDシーリングライト１の隅部の外面に固定され、４個のコンバーター２のそれぞれに、電線６で連結されている。
【００１６】
天井７に固定したレール３，３´に、角形LEDシーリングライト１を嵌合させてスライドさせると、電源接点４とコンバーターの接点５とが接触する位置で停止するように、レール３，３´には、ストッパー（図示せず）が設けられている。
【００１７】
１００ボルトの電源からの交流がコンバーター２で直流に変換され、コンバーター２の他端に接続した電線８を介してLED照明９を点灯させるようになっている。
【００１８】
LED照明は、直線状の４個のLED照明９で四角形を形成するように構成され、４個のコンバーターは、それぞれ別の４辺のLED照明９に連結されている。このように構成することによって、１個のコンバーターが壊れても、３個のコンバーターにより、支障なくLED照明を点灯させるこができる。尚、コンバーターは、複数個であればよく、特にその数は限定されない。
【産業上の利用可能性】
【００１９】
本考案によれば、レールを天井に固定すれば、素人でも容易に角形LEDシーリングライトを天井に固定することができるので、従来の取付施工が困難であった欠点が解消されるから、その普及が期待される。
【図１】
0003173391.tif 000003
【図２】
0003173391.tif 000004